(57)【要約】【課題】本発明は、蓄電電力で駆動中の消費電力を削減する。【解決手段】電池駆動型複合装置ＭＦは、電源切替・充電制御ボード３７が、商用の外部電源電力から内部電源電力を生成し、また、外部電源電力の供給がないと、２次電池部の蓄電電力から内部電源電力を生成する。電池駆動型複合装置ＭＦは、ファックスボード５２がファクシミリデータを受信すると、電源切替・充電制御ボード３７が、内部電源電力を蓄電電力から生成していると、該ファクシミリデータを無線ＬＡＮモジュール３２に所定のメールアドレスへメール送信させ、電源切替・充電制御ボード３７が、内部電源電力が外部電源電力から生成していると、該ファクシミリデータをプリンタ部１３に記録出力させる。【選択図】          図３
2015207810.tif 000002
【特許請求の範囲】
【請求項１】
ファクシミリ通信を行うファクシミリ通信手段と、
電子メールの通信を行うメール通信手段と、
前記ファクシミリ通信手段がファクシミリ受信したファクシミリデータを被記録媒体に記録出力する記録手段と、
外部から供給される外部電源電力から装置内で利用する内部電源電力を生成する外部電源手段と、
蓄電電力を蓄電する蓄電手段と、
前記蓄電手段に蓄電されている蓄電電力から装置内で利用する内部電源電力を生成する蓄電電源手段と、
前記内部電源電力が前記外部電源電力と前記蓄電電力のうちいずれの電源電力から生成されているかを検出する電源電力状態検出手段と、
前記ファクシミリ通信手段がファクシミリデータを受信すると、前記電源電力状態検出手段の検出結果が前記蓄電電力であると、該ファクシミリデータを前記メール通信手段に所定のメールアドレスへメール送信させ、該電源電力状態検出手段の検出結果が前記外部電源電力であると、該ファクシミリデータを前記記録手段に記録出力させる出力制御を行うファクシミリデータ出力制御手段と、
を備えていることを特徴とする画像処理装置。
【請求項２】
前記画像処理装置は、
前記メールアドレスの装置に有線と無線のうち少なくともいずれかで通信する装置通信手段を、
さらに備え、
前記ファクシミリデータ出力制御手段は、
前記ファクシミリデータを前記メール通信手段に前記メールアドレスへメール送信させると、前記装置通信手段を通して該ファクシミリデータをメール送信した旨の通知を前記装置へ行うことを特徴とする請求項１記載の画像処理装置。
【請求項３】
前記画像処理装置は、
情報を報知出力する報知手段を、
さらに備え、
前記ファクシミリデータ出力制御手段は、
前記ファクシミリデータを前記メール通信手段に前記メールアドレスへメール送信させると、該ファクシミリデータをメール送信した旨の情報を前記報知手段に報知出力させることを特徴とする請求項１または請求項２記載の画像処理装置。
【請求項４】
前記報知手段は、
情報を表示出力する表示手段と、音声を拡声出力する音声出力手段のうち、少なくとも１つであることを特徴とする請求項３記載の画像処理装置。
【請求項５】
前記画像処理装置は、
外部電話機と接続する電話接続手段と、
前記電話接続手段に接続されている前記外部電話機を鳴動させる鳴動手段と、
を備え、
前記ファクシミリデータ出力制御手段は、
前記ファクシミリデータを前記メール通信手段に前記メールアドレスへメール送信させると、前記鳴動手段に、該ファクシミリデータをメール送信した旨の鳴動を前記外部電話機に対して行わせることを特徴とする請求項１から請求項４のいずれかに記載の画像処理装置。
【請求項６】
前記画像処理装置は、
前記ファクシミリデータをメール送信した旨の音声データを蓄積する音声データ蓄積手段と、
前記音声データを前記電話接続手段を通して、前記外部電話機に送出させる音声データ送出手段と、
前記外部電話機のオフフックを検出するオフフック検出手段と、
をさらに備え、
前記ファクシミリデータ出力制御手段は、
前記ファクシミリデータを前記メール通信手段に前記メールアドレスへメール送信させると、前記鳴動手段に前記外部電話機を鳴動させ、前記オフフック検出手段が該外部電話機のオフフックを検出すると、前記音声データ送出手段に前記音声データを送出させることを特徴とする請求項５記載の画像処理装置。
【請求項７】
前記画像処理装置は、
前記ファクシミリデータの前記メールアドレスへのメール送信を行うか否かを選択する選択手段を、
さらに備え、
前記ファクシミリデータ出力制御手段は、
前記選択手段で前記メール送信の実行が選択されているときにのみ、該メール送信を行うことを特徴とする請求項１から請求項６のいずれかに記載の画像処理装置。
【請求項８】
前記ファクシミリ通信手段は、
前記ファクシミリデータの送信元の電話番号を取得する番号取得機能を有し、
前記ファクシミリデータ出力制御手段は、
前記ファクシミリデータの送信元の電話番号が予め登録されている電話番号であると、該ファクシミリデータを前記記録手段に記録出力させることを特徴とする請求項１から請求項７のいずれかに記載の画像処理装置。
【請求項９】
前記画像処理装置は、
前記メールアドレス宛のメールを蓄積するメールサーバの空き容量を確認する空き容量確認手段と、
情報を報知出力する報知手段と、
をさらに備え、
前記ファクシミリデータ出力制御手段は、
前記メールアドレス宛へのメール送信に対して、前記メールサーバの空き容量が不足していると、前記報知手段に、前記メール送信が不可能である旨の情報を報知出力させることを特徴とする請求項１から請求項８のいずれかに記載の画像処理装置。
【請求項１０】
前記画像処理装置は、
前記メールアドレス宛のメールを蓄積するメールサーバの空き容量を確認する空き容量確認手段と、
無線メールアドレスの宛先に直接メールを無線送信する無線メール送信手段と、
をさらに備え、
前記ファクシミリデータ出力制御手段は、
前記メールアドレスへのメール送信に対して、前記メールサーバの空き容量が不足していると、前記無線メール送信手段に前記無線メールアドレスへ前記ファクシミリデータをメール送信させることを特徴とする請求項１から請求項８のいずれかに記載の画像処理装置。
【請求項１１】
ファクシミリ通信を行うファクシミリ通信処理ステップと、
電子メールの通信を行うメール通信処理ステップと、
前記ファクシミリ通信処理ステップでファクシミリ受信されたファクシミリデータを被記録媒体に記録出力する記録処理ステップと、
外部から供給される外部電源電力から装置内で利用する内部電源電力を生成する外部電源処理ステップと、
蓄電電力を蓄電する蓄電手段の該蓄電電力から装置内で利用する内部電源電力を生成する蓄電電源処理ステップと、
前記内部電源電力が前記外部電源電力と前記蓄電電力のうちいずれの電源電力から生成されているかを検出する電源電力状態検出処理ステップと、
前記ファクシミリ通信処理ステップでファクシミリデータを受信すると、前記電源電力状態検出処理ステップでの検出結果が前記蓄電電力であると、該ファクシミリデータを前記メール通信処理ステップで所定のメールアドレスへメール送信させ、該電源電力状態検出処理ステップでの検出結果が前記外部電源電力であると、該ファクシミリデータを前記記録処理ステップで記録出力させる出力制御を行うファクシミリデータ出力制御処理ステップと、
を有していることを特徴とする画像制御方法。
【請求項１２】
制御プロセッサに、
ファクシミリ通信を行うファクシミリ通信処理と、
電子メールの通信を行うメール通信処理と、
前記ファクシミリ通信処理でファクシミリ受信されたファクシミリデータを被記録媒体に記録出力する記録処理と、
外部から供給される外部電源電力から装置内で利用する内部電源電力を生成する外部電源処理と、
蓄電電力を蓄電する蓄電手段の該蓄電電力から装置内で利用する内部電源電力を生成する蓄電電源処理と、
前記内部電源電力が前記外部電源電力と前記蓄電電力のうちいずれの電源電力から生成されているかを検出する電源電力状態検出処理と、
前記ファクシミリ通信処理でファクシミリデータを受信すると、前記電源電力状態検出処理での検出結果が前記蓄電電力であると、該ファクシミリデータを前記メール通信処理で所定のメールアドレスへメール送信させ、該電源電力状態検出処理での検出結果が前記外部電源電力であると、該ファクシミリデータを前記記録処理で記録出力させる出力制御を行うファクシミリデータ出力制御処理と、
を実行させることを特徴とする画像制御プログラム。
【発明の詳細な説明】
【技術分野】
【０００１】
本発明は、画像処理装置、画像制御方法及び画像制御プログラムに関し、詳細には、蓄電電力で駆動する画像処理装置、画像制御方法及び画像制御プログラムに関する。
【背景技術】
【０００２】
プリンタ装置、複合装置、スキャナ装置等の画像処理装置は、近年、蓄電電源部を搭載し、該蓄電電源部の蓄電電力を利用して各種動作を行う蓄電駆動型画像処理装置がある。電源が安定に供給されない被災地や電源電力の電圧が不安定な発展途上国等において、特に、蓄電駆動型画像処理装置が利用されるようになってきている。
【０００３】
蓄電駆動型画像処理装置は、蓄電電源部の蓄電電力を内部電源電力として装置内に供給して駆動する場合と、外部電源電力を内部電源電力として装置内に供給して駆動する場合とがあり、外部電源電力が供給されているときには、該外部電源電力を利用して、蓄電電源部の蓄電池（リチウムイオン電池等の２次電池）を充電している。
【０００４】
蓄電駆動型画像処理装置は、蓄電電力を内部電源電力として動作しているときの動作可能時間を長くすることが重要な課題となっている。
【０００５】
画像処理装置は、その備えている機能を実行する各部によって消費電力が異なるが、特に、モータ類を駆動させる印刷部における消費電力が大きい。
【０００６】
そして、従来、 送信データおよび受信データを記憶する記憶手段と、この記憶手段に記憶された送信データを指定した宛先に対して送信する送信制御手段と、前記受信データを記憶する記憶手段と、特定の信号の受信に基づいて前記記憶手段の受信データを送信データに変換し、所定のファクシミリ装置に送信するよう制御する制御装置とを備えた携帯用ファクシミリ装置が提案されている（特許文献１参照）。
【０００７】
この従来技術は、具体的には、ユーザが、電話機から送信先の所定のファクシミリ装置（据置型ファクシミリ装置）に発呼して応答があると、携帯用ファクシミリ装置にＰＢ信号により送信を指示する。携帯用ファクシミリ装置は、ＰＢ信号により電話機から送信指示があると、記憶手段に受信データが有るかチェックして、受信データがあると、受信データを送信データに変換して、据置型ファクシミリ装置に送信することが明細書に示されている。
【０００８】
すなわち、この従来技術は、ユーザが電話機から送信先の据置型ファクシミリ装置と携帯用ファクシミリ装置との接続を手動で行った後、携帯用ファクシミリ装置に送信指示を行うことで、携帯用ファクシミリ装置に蓄積されている受信データを据置型ファクシミリ装置に送信する。
【発明の概要】
【発明が解決しようとする課題】
【０００９】
しかしながら、上記従来技術にあっては、ユーザの手動操作によって携帯用ファクシミリ装置に蓄積されている受信データを据置型ファクシミリ装置に送信させているため、利用性が悪く、効率的に消費電力を削減する上で、改良の必要があった。
【００１０】
そこで、本発明は、蓄電電力で駆動している場合の消費電力を効率的に削減することを目的としている。
【課題を解決するための手段】
【００１１】
上記目的を達成するために、請求項１記載の画像処理装置は、ファクシミリ通信を行うファクシミリ通信手段と、電子メールの通信を行うメール通信手段と、前記ファクシミリ通信手段がファクシミリ受信したファクシミリデータを被記録媒体に記録出力する記録手段と、外部から供給される外部電源電力から装置内で利用する内部電源電力を生成する外部電源手段と、蓄電電力を蓄電する蓄電手段と、前記蓄電手段に蓄電されている蓄電電力から装置内で利用する内部電源電力を生成する蓄電電源手段と、前記内部電源電力が前記外部電源電力と前記蓄電電力のうちいずれの電源電力から生成されているかを検出する電源電力状態検出手段と、前記ファクシミリ通信手段がファクシミリデータを受信すると、前記電源電力状態検出手段の検出結果が前記蓄電電力であると、該ファクシミリデータを前記メール通信手段に所定のメールアドレスへメール送信させ、該電源電力状態検出手段の検出結果が前記外部電源電力であると、該ファクシミリデータを前記記録手段に記録出力させる出力制御を行うファクシミリデータ出力制御手段と、を備えていることを特徴としている。
【発明の効果】
【００１２】
本発明によれば、蓄電電力で駆動している場合の消費電力を効率的に削減することができる。
【図面の簡単な説明】
【００１３】
【図１】本発明の第１実施例を適用した画像処理システムの構成図。
【図２】電池駆動型複合装置の斜視図。
【図３】電池駆動型複合装置のブロック構成図。
【図４】電池駆動型複合装置の電源切替・充電制御ボード周辺の回路ブロック図。
【図５】一般的なファクシミリ受信処理を示すフローチャート。
【図６】ファクシミリ受信における画像制御処理を示すフローチャート。
【図７】データ転送による消費電力削減の説明図。
【図８】ファクシミリ受信の転送を操作表示部によって通知する画像制御処理を示すフローチャート。
【図９】走査表示部の平面図。
【図１０】第２実施例の画像処理システムの構成図。
【図１１】第２実施例の電池駆動型複合装置のブロック構成図。
【図１２】第２実施例によるファクシミリ受信における画像制御処理を示すフローチャート。
【図１３】第３実施例の電池駆動型複合装置のブロック構成図。
【図１４】増幅回路の回路構成図。
【図１５】第３実施例によるファクシミリ受信における画像制御処理を示すフローチャート。
【図１６】第４実施例の画像処理システムの構成図。
【図１７】第４実施例の電池駆動型複合装置のブロック構成図。
【図１８】第４実施例によるファクシミリ受信における画像制御処理を示すフローチャート。
【図１９】第４実施例の他の電池駆動型複合装置のブロック構成図。
【図２０】オフフック検出回路の回路構成図。
【図２１】第４実施例によるファクシミリ受信における他の画像制御処理を示すフローチャート。
【図２２】第５実施例によるファクシミリ受信における画像制御処理を示すフローチャート。
【図２３】第６実施例におよるファクシミリ受信における画像制御処理を示すフローチャート。
【図２４】アドホック通信可能な画像処理システムの構成図。
【図２５】アドホック通信を利用したファクシミリ通信における画像処理を示すフローチャート。
【図２６】転送選択スイッチの一例を示す図。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図９は、本発明の画像処理装置、画像制御方法及び画像制御プログラムの第１実施例を示す図であり、図１は、本発明の画像処理装置、画像制御方法及び画像制御プログラムの第１実施例を適用した画像処理システムＧＳの構成図である。
【００１６】
図１において、画像処理システムＧＳは、電池駆動型複合装置（画像処理装置）ＭＦが、ファクシミリ通信が可能なファクシミリ通信可能回線網ＦＬに接続されているとともに、電子メール通信が可能なメール通信可能回線網ＭＬに接続されている。ファクシミリ通信可能回線網ＦＬは、例えば、ＰＳＴＮ（Public Switched Telephone Network：一般公衆電話網）あるいはＩＳＤＮ（Integrated Services Digital Network：サービス総合デジタル網）等で構築されている。ファクシミリ通信可能回線網ＦＬには、対向ファクシミリ装置ＦＡ等が接続されており、電池駆動型複合装置ＭＦと対向ファクシミリ装置ＦＡは、ファクシミリ通信可能回線網ＦＬを介してファクシミリ通信する。
【００１７】
メール通信可能回線網ＭＬは、インターネットＩＮＴを含むＳＭＴＰ（Simple Mail Transport Protocol）サーバＳＶ、ＰＯＰ（Point Of Production ）サーバＰＶ、モデムＭ１、Ｍ２及びアクセスポイント（Wireless LAN access point）ＡＰ等で構築されている。ＰＯＰサーバ（メールサーバ）ＰＶに接続されているモデムＭ２は、情報処理装置ＰＣに接続されており、メール通信可能回線網ＭＬは、電池駆動型複合装置ＭＦと情報処理装置ＰＣとの間における電子メールの通信を行う。すなわち、電池駆動型複合装置ＭＦは、無線ＬＡＮモジュール３２を備えており、無線ＬＡＮモジュール（メール通信手段）３２は、アクセスポイントＡＰと、例えば、ＩＥＥＥ８０２．１１に従った無線通信して、メール通信可能回線網ＭＬを通した電子メール等のネットワーク通信を行う。なお、電池駆動型複合装置ＭＦは、本実施例では、無線ＬＡＮモジュール３２を備えて、無線でメール通信可能回線網ＭＬと通信しているが、有線のＬＡＮモジュールを備えて、有線でモデムＭ１と接続してもよい。
【００１８】
上記電池駆動型複合装置ＭＦは、その外観が、図２のように示され、本体筐体１１の上部に、スキャナ部１２が配設されている。電池駆動型複合装置ＭＦは、本体筐体１１内に、プリンタ部１３、給紙部１４及び排紙部１５等が設けられている。また、電池駆動型複合装置ＭＦは、本体筐体１１の上部前面に、操作表示部１６が設けられており、操作表示部１６には、各種キーが設けられているとともに、ディスプレイ（報知手段、表示手段）１７が設けられている。
【００１９】
スキャナ部１２としては、例えば、光電変換素子としてＣＣＤ(Charge Coupled Device)またはＣＭＯＳ（Complementary Metal Oxide Semiconductor ）を用いたスキャナが用いられており、原稿を走査して、該原稿の画像を読み取る。
【００２０】
プリンタ部（記録手段）１３は、種々の印刷方式のプリンタを用いることができ、本実施例では、インク吐出式プリンタが用いられている。プリンタ部１３は、主走査方向に往復移動するキャリッジ３３（図３参照）に搭載された記録ヘッド３３ａを備えており、記録ヘッド３３ａは、インク滴を被記録媒体である用紙に向かって吐出して画像を形成するノズル列が形成されている。プリンタ部１３は、スキャナ部１２の読み取った原稿の画像データや外部の端末機器、例えば、情報処理装置ＰＣ等からメール通信可能回線網ＭＬを介して送信されてきた画像データに基づいて、キャリッジ３３の搭載する図示しないヘッドドライバによって記録ヘッド３３ａに搭載されているノズル列のノズルを駆動して、インク滴を用紙に吐出させることで、用紙に画像を形成する。排紙部１５は、プリンタ部１３で画像形成された用紙を、排紙トレイへ排出する。
【００２１】
電池駆動型複合装置ＭＦは、本体筐体１１の前面側に、開閉カバー１８が設けられており、開閉カバー１８の本体筐体１１内には、２次電池部（蓄電手段）１９が取り替え可能な状態で収納されている。
【００２２】
電池駆動型複合装置ＭＦは、本体筐体１１の前面には、２次電池部１９の二次電池の残量を、例えば、点灯数で表示する複数のＬＥＤ（Light Emitting Diode）からなる残量表示部２０が設けられている。また、電池駆動型複合装置ＭＦは、その背面の下部に、後述するＡＣアダプタＡＤの電源コードＬｇ（図４参照）のプラブが挿入されるコネクタ２１が設けられている。
【００２３】
そして、電池駆動型複合装置ＭＦは、図３に示すようにブロック構成されている。電池駆動型複合装置ＭＦは、図３に示すように、プリンタ部１３、スキャナ部１２及び上記操作表示部１６等を備えている。
【００２４】
プリンタ部１３は、制御ボード３１、無線ＬＡＮモジュール３２、キャリッジ３３、主走査モータ３４、副走査エンコーダ３５、副走査モータ３６、電源切替・充電制御ボード３７及びＬＡＮ（Local Area Network）ポート３８等を備えている。制御ボード３１は、ＣＰＵ（Central Processing Unit）４１、ＬＡＮコントローラ４２、記録ヘッド制御部４３、用紙有無検出部４４、主走査制御部４５、副走査制御部４６、ＲＯＭ（Read Only Memory）４７及びＲＡＭ（Random Access Memory）４８等を備えており、各部は、バス４９により接続されている。また、キャリッジ３３は、記録ヘッド３３ａ、レジストセンサ３３ｂ及び主走査エンコーダ３３ｃを搭載している。
【００２５】
記録ヘッド３３ａは、上述のように、制御ボード３１の記録ヘッド制御部４３の制御下で、ノズル列のノズルを駆動して、インク滴を用紙に吐出させることで、用紙に画像を形成する。
【００２６】
レジストセンサ３３ａは、プリンタ部１３の用紙搬送路上に記録ヘッド３３ａによる印刷位置よりも手前に設けられているレジストローラへ給紙部１４から搬送されてくる用紙の先端を検出して、検出結果を用紙有無検出部４４へ出力する。レジストセンサ３３ｂは、例えば、反射式または透過式のフォトカプラ等が用いられている。
【００２７】
主走査モータ３４は、回転駆動することにより、キャリッジ３３を主走査方向に反復移動させる。
【００２８】
主走査エンコーダ３３ｃは、主走査モータ３４によるキャリッジ３３の移動位置を検出し、検出結果を主走査制御部４５へ出力する。
【００２９】
副走査モータ３６は、回転駆動することで、用紙を搬送する搬送ベルト（図示略）を回転駆動する搬送ローラを、副走査方向に移動させ、副走査エンコーダ３５は、搬送ローラの回転位置、すなわち、用紙の搬送位置を検出する。
【００３０】
電源切替・充電制御ボード３７は、図４に示すように、制御ボード３１と接続されているとともに、外部電源ユニットＧＵと蓄電ユニットＣＵが接続されている。外部電源ユニットＧＵは、ＡＣアダプタＡＤと電源プラグＰＧ及び電源コードＬｇ等を備えており、電源プラグＰＧが外部電源であるＡＣ１００Ｖの商用電源の電源コンセントに挿入されることで、外部電源電力を取り込んで、電源切替・充電制御ボード３７に供給する。外部電源ユニットＧＵは、電源プラグＰＧが電源コンセントに挿入されるか否かにより、また、ＡＣアダプタＡＤの電源切替・充電制御ボード３７側の電源コードＬｇが電源コネクタによって電源切替・充電制御ボード３７に接続されるか否かによって、電源切替・充電制御ボード３７への接続と切り離しが可能となっている。
【００３１】
蓄電ユニットＣＵは、２次電池部１９と電源コードＬｃ等を備えており、２次電池部１９は、詳細に外ししないが、リチウムイオン電池等の充・放電可能な蓄電電力を蓄電する２次電池を備えている。蓄電ユニットＣＵは、２次電池部１９の蓄電電力を電源切替・充電制御ボード３７へ供給する。
【００３２】
電源切替・充電制御ボード３７は、詳細には図示しないが、外部電源ユニットＧＵが接続されているか否か、すなわち、内部電源電力が前記外部電源電力と前記蓄電電力のうちいずれの電源電力から生成されているかを検出する電源電力状態検出処理を行う電源電力状態検出部（電源電力状態検出手段）を備えている。また、電源切替・充電制御ボード３７は、外部電源ユニットＧＵからの外部電源電力を、電池駆動型複合装置ＭＦの内部で使用する各種内部電源電力を生成する外部電源処理を行う外部電源部（外部電源手段）外部電源部を備えている。さらに、電源切替・充電制御ボード３７は、蓄電ユニットＣＵの２次電池部１９の蓄電電力から電池駆動型複合装置ＭＦの内部で使用する各種内部電源電力を生成する蓄電電源処理を行う蓄電電源部（蓄電電源手段）を備えている。また、電源切替・充電制御ボード３７は、外部電源電力から２次電池充電用の充電電力を生成して２次電池部１９の２次電池を充電する充電部及び２次電池部ＣＵの残量を検知する電池残量検出部等を備えている。
【００３３】
電源切替・充電制御ボード３７は、上記電源電力状態検出部の検出結果を、駆動電源検知信号Ｓｄとして制御ボード３１へ出力し、また、上記電池残量検知部の検知結果を、残量検知信号として制御ボード３１へ出力する。電源電力状態検出部は、外部電源電力が供給されていて内部電源電力として該外部電源電力を供給しているときには、ロー（Ｌｏｗ）の駆動電源検知信号Ｓｄを制御ボード３１へ出力する。また、電源電力状態検出部は、蓄電電力を内部電源電力として供給しているときには、ハイ（Ｈｉｇｈ）の駆動電源検知信号Ｓｄを制御ボード３１へ出力する。
【００３４】
電源切替・充電制御ボード３７は、電源電力状態検出部が外部電源電力の供給を検出していると、基本的には、電源電力供給元を外部電源電力として、外部電源部によって内部電源電力を生成する。また、電源切替・充電制御ボード３７は、外部電源電力が供給されていると、充電部によって充電電力を生成して、２次電池部１９の２次電池を充電する。
【００３５】
電源切替・充電制御ボード３７は、制御ボード３１から電源セレクト信号が入力され、電源セレクト信号が蓄電電力を指定しているときには、外部電源電力が供給されている場合であっても、蓄電電力を内部電源電力として供給する。
【００３６】
そして、電源切替・充電制御ボード３７は、基本的には、電池駆動型複合装置ＭＦの電源ＯＦＦとなっているとき、または、主要各部への電源電力の削減または停止を行う省電力モードのときに、外部電源電力が供給されていると、該外部電源電力を利用して、２次電池部１９の２次電池を充電する。電源切替・充電制御ボード３７は、電池駆動型複合装置ＭＦがスタンバイモードとなっているときには、２次電池の充電を行わずに、外部電源電力から内部電源電力を生成して、電池駆動型複合装置ＭＦの各部へ電力供給を行う。
【００３７】
したがって、電源切替・充電制御ボード３７は、外部電源手段、蓄電電源手段及び電源電力状態検出手段として機能している。
【００３８】
なお、電源切替・充電制御ボード３７は、生成した内部電源電力からＵＳＢ（Universal Serial Bus）機器用電源を生成して、ＵＳＢ機器（例えば、スマートフォン、携帯電話等）に供給するためのＵＳＢ電源コネクタ（図示略）を備えている。
【００３９】
再び、図３において、制御ボード３１は、そのＲＯＭ４７が、電池駆動型複合装置ＭＦの基本プログラム、本発明の画像制御プログラム及びシステムデータ、本実施例の画像制御処理に必要なデータを記憶している。
【００４０】
ＣＰＵ４１は、ＲＯＭ４７内のプログラムに基づいて、電池駆動型複合装置ＭＦの各部を制御して、電池駆動型複合装置ＭＦとしての基本処理を実行するとともに、本発明の画像制御方法を実行する。また、ＣＰＵ４１は、ＲＡＭ４８を利用して、ファクシミリ受信したファクシミリデータを電子メールによって予め設定されている情報処理装置ＰＣへ電子メール送信するのに必要な画像処理を行う。特に、ＣＰＵ４１は、電源切替・充電制御ボード３７からの駆動電源検知信号Ｓｄに基づいて、後述する画像制御処理における受信ファクシミリデータの電子メールによる情報処理装置ＰＣへの転送制御を行うファクシミリデータ出力制御処理を行い、ファクシミリデータ出力制御手段として機能している。
【００４１】
ＬＡＮコントローラ４２は、ＬＡＮポート３８に接続されており、ＬＡＮポート３８には、情報処理装置ＰＣ２や図示しない画像処理装置等の接続されているＬＡＮ等のネットワークが接続されている。ＬＡＮコントローラ４２は、ＣＰＵ４１の制御下で、ネットワークに接続されている情報処理装置ＰＣ２等と通信を行う。
【００４２】
記録ヘッド制御部４３は、キャリッジ３３の記録ヘッド３３ａに接続されており、ＣＰＵ４１の制御下で、記録ヘッド３３ａの駆動を制御して、各ノズルからのインク吐出を制御する。
【００４３】
用紙有無検出部４４は、キャリッジ３３に搭載されているレジストセンサ３３ｂからの用紙検出信号に応じて、レジストローラへの用紙の搬送の有無を判定し、判定結果をＣＰＵ４１へ出力する。ＣＰＵ４１は、レジストセンサ３３ｂの検出結果に基づいて、副走査モータ３６の駆動制御、主走査モータ３４及び記録ヘッド制御部４３による記録ヘッドの駆動制御を行って、用紙への画像形成を制御する。
【００４４】
主走査制御部４５は、主走査エンコーダ３３ｃからの検出結果が入力され、検出結果をＣＰＵ４１へ出力する。ＣＰＵ４１は、主走査エンコーダ３３cからの検出結果に基づいて、キャリッジ３３の位置を判断して、主走査モータ３３ｃの駆動を主走査制御部４５を介して行って、キャリッジ３３の移動制御を行う。
【００４５】
副走査制御部４６は、副走査エンコーダ３５からの検出結果が入力され、検出結果をＣＰＵ４１へ出力する。ＣＰＵ４１は、副走査エンコーダ３５からの検出結果に基づいて、搬送ベルト、すなわち、用紙の搬送を制御する。
【００４６】
スキャナ部１２は、画像形成メインボード５１、ファックスボード５２及び回線ポート５３等を備えており、スキャナ部１２の画像形成メインボード５１とプリンタ部１３の制御ボード３１は、インターフェイスＩＦ１で接続されている。また、画像形成メインボード５１とファックスボード５２は、適宜のインターフェイスＩＦ２で接続されている。インターフェイスＩＦ１は、本実施例では、ＵＳＢ（Universal Serial Bus）が用いられている。
【００４７】
回線ポート５３は、上記ファクシミリ通信可能回線網ＦＬに接続されており、該ファクシミリ通信可能回線網ＦＬに接続されている対向ファクシミリ装置ＦＡとの間の通信ポートとなっている。
【００４８】
ファックスボード（ファクシミリ通信手段）５２は、ファクシミリ通信を行うものであり、ＳｉＤＡＡ（シリコンData Access Arrangement）６１及びモデム６２等を備えている。
【００４９】
ＳｉＤＡＡ６１は、回線ポート５３及びモデム６２に接続されており、回線ポート５３に接続されているファクシミリ通信可能回線網ＦＬとモデム６２とのインターフェイスである。ＳｉＤＡＡ６１は、ＡＤ（Analog Digital）／ＤＡ（Digital Analog）変換、呼出信号の検出（リンギング検出）、回線の開ループ／閉ループ状態の検出等を行って、検出結果をモデム６２及びインターフェイスＩＦ２を介して画像形成メインボードへ出力する。
【００５０】
モデム６２は、ＳｉＤＡＡ６１を介してファクシミリ通信可能回線網ＦＬに送信するデジタルデータをアナログ信号に変調し、また、ＳｉＤＡＡ６１を介してファクシミリ通信可能回線網ＦＬから受信するアナログ信号をデジタルデータに復調する。
【００５１】
画像形成メインボード５１は、ＣＰＵ７１、メモリ７２、ＡＳＩＣ（Application Specific Integrated Circuit）７３及びＵＳＢコントローラ７４等を備えており、ファクシミリ通信制御及びファクシミリ通信における画像データの処理を行う。なお、スキャナ部１２は、図３には、図示しないが、上記原稿の画像を読み取るスキャナ本体部を備えている。
【００５２】
メモリ７２は、スキャナ部１２としての基本プログラム及び本発明の画像制御方法のうち、スキャナ部１２において行う必要のある部分のプログラムを格納しているとともに、その他のデータを格納する。
【００５３】
ＣＰＵ７１は、メモリ７２内のプログラムに基いて、スキャナ部１２としての基本処理を行うとともに、本発明の画像制御方法を実行する。
【００５４】
ＡＳＩＣ７３は、スキャナ部１２のスキャナ本体部の読み取った原稿の画像データをファクシミリ送信に適した画像データに画像処理する。また、ＡＳＩＣ７３は、スキャナ部１２の読み取った原稿の画像データを、プリンタ部１３で処理可能な画像データに画像処理して、ＵＳＢコントローラ７４に渡す。さらに、ＡＳＩＣ７３は、ファックスボード５２が受信したファクシミリデータを受け取って、必要な画像処理を施した後、ＵＳＢコントローラ７４に渡す。
【００５５】
ＵＳＢコントローラ７４は、インターフェイスＩＦ１を介して制御ボード３１のＣＰＵ４１と信号及びデータの授受を行なう。ＵＳＢコントローラ７４は、特に、ＡＳＩＣ７３から受け取った画像データ（スキャナ部本体で読み取った画像データ、ファクシミリ受信データ）を、インターフェイスＩＦ１を介して、制御ボード３１のＣＰＵ４１に送る。
【００５６】
そして、制御ボード３１のＣＰＵ４１は、コピーモードにおいて、スキャナ部１２から画像データを受け取ると、該画像データに対して、ＲＡＭ４８を利用して、用紙に画像形成するのに必要な各種画像処理を施した後、キャリッジ３３を駆動させて画像形成する。
【００５７】
ＣＰＵ４１は、ファクシミリ受信モードにおいて、スキャナ部１２から画像データ（ファクシミリデータ）を受け取ると、電源切替・充電制御ボード３７からの駆動電源検知信号Ｓｄに基づいて、プリンタ部１３での用紙への画像形成出力と、電子メール送信を切り替えて処理する。
【００５８】
そして、電池駆動型複合装置ＭＦは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像制御方法を実行する画像制御プログラムを読み込んでＲＯＭ４７やメモリ７２に導入することで、後述する蓄電電力で駆動している場合の消費電力を効率的に削減する画像制御方法を実行する画像処理装置として構築されている。この画像制御プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００５９】
次に、本実施例の作用を説明する。本実施例の電池駆動型複合装置ＭＦは、蓄電電力で駆動している場合の消費電力を効率的に削減する。
【００６０】
すなわち、電池駆動型複合装置ＭＦは、図４に示したように、電源切替・充電制御ボード３７に、外部電源ユニットＧＵと蓄電ユニットＣＵが接続されるが、外部電源ユニットＧＵは、接続と切り離しが可能となっている。蓄電ユニットＣＵは、２次電池部１９を備えており、２次電池部１９の２次電池部１９の蓄電電力を電源切替・充電制御ボード３７へ供給する。ところが、２次電池部１９は、蓄電電力を放電することで、外部電源電力を供給するため、電池駆動型複合装置ＭＦは、蓄電電力を利用した駆動は、２次電池部１９の蓄電電力の消費となる。特に、電池駆動型複合装置ＭＦは、主走査モータ３４、副走査モータ３６等を駆動させたプリンタ部１３による画像形成動作においては、２次電池部１９の蓄電電力を大きく消費する。
【００６１】
そして、電池駆動型複合装置ＭＦは、コピーモードやプリントモードにおいては、必然的に、プリンタ部１３の駆動を必要とするが、ファクシミリ受信モードにおいては、プリンタ部１３を駆動させることなく処理する対処を行うことができる。すなわち、電池駆動型複合装置ＭＦは、ファクシミリ受信モードにおいては、受信したファクシミリデータをプリンタ部１３で記録出力することなく、他の装置である情報処理装置ＰＣへ電子メールで送信することで、消費電力を削減することができる。例えば、一般的なファクシミリ受信処理は、図５に示すように、ファクシミリ通信可能回線網ＦＬから呼出信号があると（ステップＳ１００１）、応答して、回線を接続する（ステップＳ１００２）。そして、一般的なファクシミリ受信処理は、ファクシミリ受信の手順を完了すると、回線からファクシミリデータ（画像データ）の受信を開始し（ステップＳ１００３）、全ての文データの受信を完了すると、ファクシミリ通信を終了する（ステップＳ１００４）。さらに、一般的なファクシミリ受信処理は、非画像処理信号をプリンタ部の記録ヘッド制御部へ転送して（ステップＳ１００５）、プリンタ部でファクシミリデータに基づいて画像を用紙に形成出力する（ステップＳ１００６）。
【００６２】
したがって、電池駆動型複合装置ＭＦにおいては、このように常にファクシミリ受信した場合に、ファクシミリデータをプリンタ部１３で用紙に記録出力すると、モータ類の駆動を必要とし、大きな電力を消費することとなる。
【００６３】
そこで、本実施例の電池駆動型複合装置ＭＦは、電源切替・充電制御ボード３７が、外部電源ユニットＧＵが接続されているか否かを検出する電源電力状態検出部を備えている。電源電力状態検出部は、外部電源ユニットＧＵが接続されているか否か、そして、制御ボード３１からの電源セレクト信号によって外部電源ユニットＧＵが接続されているかチェックする。電源電力状態検出部は、外部電源ユニットＧＵの外部電源電力を内部電源電力として電池駆動型複合装置ＭＦの各部に供給しているときには、ロー（Ｌｏｗ）の駆動電源検知信号Ｓｄを制御ボード３１へ出力する。また、電源電力状態検出部は、蓄電電力を内部電源電力として供給しているときには、ハイ（Ｈｉｇｈ）の駆動電源検知信号Ｓｄを制御ボード３１へ出力する。
【００６４】
そして、電池駆動型複合装置ＭＦは、ファクシミリ受信処理においては、図６に示すように、駆動電源検知信号Ｓｄに基づいて、受信したファクシミリデータを、プリンタ部１３で記録出力するか、電子メールで情報処理装置ＰＣへ送信するかを切り替える画像制御処理を行う。
【００６５】
すなわち、電池駆動型複合装置ＭＦは、ファクシミリ通信可能回線網（回線）ＦＬから呼出信号があると（ステップＳ１０１）、ＳｉＤＡＡ６１が応答して回線を接続する（ステップＳ１０２）。
【００６６】
電池駆動型複合装置ＭＦは、ファックスボード５２によって対向ファクシミリ装置ＦＡから送られてくるファクシミリデータの受信を開始する（ステップＳ１０３）。電池駆動型複合装置ＭＦは、全てのファクシミリデータの受信を完了して（ステップＳ１０４）、対向ファクシミリ装置ＦＡからのＤＣＮ信号（切断命令信号）を受信すると、ファックスボード５２が、ファクシミリ通信を終了する（ステップＳ１０５）。電池駆動型複合装置ＭＦは、ファクシミリ通信を終了すると、ＣＰＵ４１が、電源切替・充電制御ボード３７から駆動電源検知信号Ｓｄの論理をリードし（ステップＳ１０６）、駆動電源検知信号Ｓｄがハイ（Ｈｉｇｈ）であるかチェックする（ステップＳ１０７）。
【００６７】
ステップＳ１０７で、駆動電源検知信号Ｓｄがロー（Ｌｏｗ）であると（ステップＳ１０７で、ＮＯのとき）、ＣＰＵ４１は、ＲＡＭ４８を使用して、受信したファクシミリデータをプリンタ部１３で記録出力するのに適した画像データに変換して、記録ヘッド制御部４３に渡す（ステップＳ１０８）。ＣＰＵ４１は、記録ヘッド制御部４３によってキャリッジ３３の記録ヘッド３３ａの駆動を制御するとともに、主走査モータ３４及び副走査モータ３６の駆動を制御して、画像を用紙に形成出力させる印字を行って、画像制御処理を終了する（ステップＳ１０９）。
【００６８】
ステップＳ１０７で、駆動電源検知信号Ｓｄがハイであると（ステップＳ１０７で、ＹＥＳのとき）、ＣＰＵ４１は、ファクシミリデータを電子メールでの送信に適した形式（例えば、Ｔｉｆｆ形式）のファイルに変換する（ステップＳ１１０）。
【００６９】
ＣＰＵ４１は、変換したファイルを適宜の圧縮形式（例えば、ＭＨ形式、ＭＲ形式、ＭＭＲ形式等）で圧縮し（ステップＳ１１１）、圧縮後のファイルを電子メールに添付する（ステップＳ１１２）。
【００７０】
ＣＰＵ４１は、ファイルを添付した電子メールを、メール通信可能回線網ＭＬを利用して、予め指定されているメールアドレスへ送信して、画像制御処理を終了する（ステップＳ１１３）。この場合、ＣＰＵ４１は、無線ＬＡＮモジュール３２から無線ＬＡＮ用プロトコル（ＩＥＥＥ８０２．１１）を用いてメール通信可能回線網ＭＬのアクセスポイントＡＰへ電子メールを送信し、メール通信可能回線網ＭＬは、最終的にＰＯＰサーバＰＶに保管する。ＰＯＰサーバＰＶは、モデムＭ２を介して電子メールが届いていることを送信先メールアドレスの情報処理装置ＰＣに通知して、情報処理装置ＰＣは、ＰＯＰサーバＰＶからファイルの添付されている電子メールを受信する。
【００７１】
したがって、ユーザは、情報処理装置ＰＣに送られた電子メールから圧縮されている添付ファイルを取り出して展開し、情報処理装置ＰＣに接続されているプリンタ装置等で添付ファイルを印刷出力することで、ファクシミリデータを記録出力することができる。
【００７２】
このようにすると、図７に示すように、電池駆動型複合装置ＭＦは、待機中からデータ受信中になって消費電力が増加する。電池駆動型複合装置ＭＦは、その後、ファクシミリデータを電子メールによって転送すると、メール転送による電力消費は発生するが、印刷中の消費電力との間を、両矢印で示すように、印刷出力による消費電力と比較して、消費電力を大幅に削減することができる。すなわち、電池駆動型複合装置ＭＦは、主走査モータ３４や副走査モータ３６等の大電力を消費する部分を駆動させることなく、電子メールでファクシミリデータを情報処理装置ＰＣへ送って、情報処理装置ＰＣで印刷することで、電池駆動型複合装置ＭＦにおける消費電力を削減することができる。
【００７３】
なお、電池駆動型複合装置ＭＦは、上記画像制御処理において、図８及び図９に示すように、受信したファクシミリデータを情報処理装置ＰＣへ転送した旨の表示を操作表示部１６のディスプレイ１７へ行ってもよい。なお、図８において、図６と同様の処理ステップには、同一のステップナンバーを付与して、その説明を省略する。
【００７４】
電池駆動型複合装置ＭＦは、図６場合と同様に画像制御処理を行って、駆動電源検知信号Ｓｄがハイであると、ファクシミリデータを適宜のデータ形式（Ｔｉｆｆ等）のファイルに変換した後、圧縮して、指定のメールアドレスへ電子メールに添付して送信する（ステップＳ１０１〜Ｓ１０７、Ｓ１１０〜Ｓ１１３）。電池駆動型複合装置ＭＦは、ファクシミリデータのファイルを添付した電子メールを情報処理装置ＰＣへ送信すると、操作表示部１６のディスプレイ１７へ、受信したファクシミリデータを情報処理装置ＰＣへ送信した旨のメッセージを表示して画像制御処理を終了する（ステップＳ１２１）。このメッセージの表示は、例えば、図９に通知画面Ｇ１として示すように、「受信したＦＡＸをＰＣへ転送済みです。」等である。
【００７５】
このようにすると、受信したファクシミリデータが情報処理装置ＰＣに転送されていることをユーザに通知することができ、利用性を向上させることができる。
【００７６】
このように、本実施例の画像処理システムＧＳは、その電池駆動型複合装置ＭＦが、ファクシミリ通信を行うファックスボード（ファクシミリ通信手段）５２と、電子メールの通信を行う無線ＬＡＮモジュール（メール通信手段）３２と、前記無線ＬＡＮモジュール３２がファクシミリ受信したファクシミリデータを用紙（被記録媒体）に記録出力するプリンタ部（記録手段）１３と、外部から供給される外部電源電力から装置内で利用する内部電源電力を生成する電源切替・充電制御ボード（外部電源手段）３７と、蓄電電力を蓄電する２次電池部（蓄電手段）１９と、２次電池部１９に蓄電されている蓄電電力から装置内で利用する内部電源電力を生成する電源切替・充電制御ボード（蓄電電源手段）３７と、前記内部電源電力が前記外部電源電力と前記蓄電電力のうちいずれの電源電力から生成されているかを検出する電源切替・充電制御ボード（電源電力状態検出手段）３７と、前記ファックスボード５２がファクシミリデータを受信すると、前記電源電力状態検出手段としての電源切替・充電制御ボード３７の検出結果が前記蓄電電力であると、該ファクシミリデータを前記無線ＬＡＮモジュール３２に所定のメールアドレスへメール送信させ、該電源切替・充電制御ボード３７の検出結果が前記外部電源電力であると、該ファクシミリデータをプリンタ部１３に記録出力させる出力制御を行うＣＰＵ（ファクシミリデータ出力制御手段）４１と、を備えている。
【００７７】
したがって、蓄電電力で動作している場合に、受信ファクシミリデータを他の装置に電子メールで送信して、プリンタ部１３を駆動することによる大きな電力消費を省くことができる。その結果、蓄電電力で駆動している場合の消費電力を効率的に削減することができる。
【００７８】
また、本実施例の画像処理システムＧＳは、ファクシミリ通信を行うファクシミリ通信処理ステップと、電子メールの通信を行うメール通信処理ステップと、前記ファクシミリ通信処理ステップでファクシミリ受信されたファクシミリデータを用紙に記録出力する記録処理ステップと、外部から供給される外部電源電力から装置内で利用する内部電源電力を生成する外部電源処理ステップと、蓄電電力を蓄電する２次電池部（蓄電手段）１９の該蓄電電力から装置内で利用する内部電源電力を生成する蓄電電源処理ステップと、前記内部電源電力が前記外部電源電力と前記蓄電電力のうちいずれの電源電力から生成されているかを検出する電源電力状態検出処理ステップと、前記ファクシミリ通信処理ステップでファクシミリデータを受信すると、前記電源電力状態検出処理ステップでの検出結果が前記蓄電電力であると、該ファクシミリデータを前記メール通信処理ステップで所定のメールアドレスへメール送信させ、該電源電力状態検出処理ステップでの検出結果が前記外部電源電力であると、該ファクシミリデータを前記記録処理ステップで記録出力させる出力制御を行うファクシミリデータ出力制御処理ステップと、を有する画像制御方法を実行している。
【００７９】
したがって、蓄電電力で動作している場合に、受信ファクシミリデータを他の装置に電子メールで送信して、プリンタ部１３を駆動することによる大きな電力消費を省くことができる。その結果、蓄電電力で駆動している場合の消費電力を効率的に削減することができる。
【００８０】
さらに、本実施例の画像処理システムＧＳは、電池駆動型複合装置ＭＦのＣＰＵ４１等の制御プロセッサに、ファクシミリ通信を行うファクシミリ通信処理と、電子メールの通信を行うメール通信処理と、前記ファクシミリ通信処理でファクシミリ受信されたファクシミリデータを用紙（被記録媒体）に記録出力する記録処理と、外部から供給される外部電源電力から装置内で利用する内部電源電力を生成する外部電源処理と、蓄電電力を蓄電する２次電池部１９の該蓄電電力から装置内で利用する内部電源電力を生成する蓄電電源処理と、前記内部電源電力が前記外部電源電力と前記蓄電電力のうちいずれの電源電力から生成されているかを検出する電源電力状態検出処理と、前記ファクシミリ通信処理でファクシミリデータを受信すると、前記電源電力状態検出処理での検出結果が前記蓄電電力であると、該ファクシミリデータを前記メール通信処理で所定のメールアドレスへメール送信させ、該電源電力状態検出処理での検出結果が前記外部電源電力であると、該ファクシミリデータを前記記録処理で記録出力させる出力制御を行うファクシミリデータ出力制御処理と、を実行させる像制御プログラムを搭載している。
【００８１】
したがって、蓄電電力で動作している場合に、受信ファクシミリデータを他の装置に電子メールで送信して、プリンタ部１３を駆動することによる大きな電力消費を省くことができる。その結果、蓄電電力で駆動している場合の消費電力を効率的に削減することができる。
【００８２】
また、電池駆動型複合装置ＭＦは、情報を報知出力する操作表示部１６のディスプレイ（報知手段）１７を、さらに備え、ＣＰＵ（ファクシミリデータ出力制御手段）４１は、前記ファクシミリデータをファックスボード５２に前記メールアドレスへメール送信させると、該ファクシミリデータをメール送信した旨の情報をディスプレイ１７に報知出力させる。
【００８３】
したがって、ユーザは、電池駆動型複合装置ＭＦのディスプレイに表示される情報によって受信したファクシミリデータがメール送信されたことを知ることができ、消費電力を削減しつつ、利用性を向上させることができる。
【００８４】
さらに、前記報知手段は、情報を表示出力するディスプレイ（表示手段）１７である。
【００８５】
したがって、ユーザは、電池駆動型複合装置ＭＦのディスプレイに表示される情報によって受信したファクシミリデータがメール送信されたことを知ることができ、消費電力を削減しつつ、利用性を向上させることができる。
【実施例２】
【００８６】
図１０〜図１２は、本発明の画像処理装置、画像制御方法及び画像制御プログラムの第２実施例を示す図であり、図１０は、本発明の画像処理装置、画像制御方法及び画像制御プログラムの第２実施例を適用した画像処理システムＧＳ２の構成図である。
【００８７】
なお、本実施例は、上記第１実施例の画像処理システムＧＳと同様の画像処理システムに適用したものであり、本実施例の説明において、上記第１実施例の画像処理システムＧＳと同様の構成部分には、同一の符号を付与して、その説明を省略または簡略化する。
【００８８】
図１０において、画像処理システムＧＳ２は、電池駆動型複合装置ＭＦ２が、第１実施例の電池駆動型複合装置ＭＦと同様に、メール通信可能回線網ＭＬと通信可能であるとともに、電子メールの送信先である情報処理装置ＰＣと、ＵＳＢケーブル１０１で接続されている。
【００８９】
すなわち、電池駆動型複合装置（画像処理装置）ＭＦ２は、図１１に示すように、第１実施例の電池駆動型複合装置ＭＦと同様の構成を有するとともに、ＵＳＢポート１１１を備え、さらに、その制御ボード３１に、ＵＳＢコントローラ１１２を備えている。
【００９０】
ＵＳＢポート１１１は、上記情報処理装置ＰＣとＵＳＢケーブル１０１で接続され、また、ＵＳＢコントローラ１１２に接続されている。ＵＳＢポート１１１は、情報処理装置ＰＣとＵＳＢコントローラ１１２との間の信号及びデータの授受を行う。
【００９１】
ＵＳＢコントローラ１１２は、ＣＰＵ４１の制御下で、ＵＳＢポート１１１を通して、情報処理装置ＰＣとの間で信号及びデータの授受を行う。特に、ＵＳＢコントローラ１１２は、ＣＰＵ４１の制御下で、本発明の画像制御方法によって、ファクシミリデータを電子メールで情報処理装置ＰＣへ送信した旨を通知する。例えば、ＵＳＢコントローラ１１２は、ファクシミリデータを電子メールで送信したのメッセージを、該情報処理装置ＰＣへ出力して、情報処理装置ＰＣのディスプレイ等への表示等を行わせることで、通知する。ＵＳＢポート１１１及びＵＳＢコントローラ１１２は、全体として、メールアドレスの装置に有線と無線のうち少なくともいずれかで通信する装置通信手段として機能している。
【００９２】
そして、本実施例の画像処理システムＧＳ２においては、電池駆動型複合装置ＭＦ２が、図１２に示すように、ファクシミリ受信における画像制御処理を行う。なお、図１２において、図６の画像制御処理と同様の処理ステップには、同一のステップナンバーを付与して、その説明を省略または簡略化する。
【００９３】
図１２において、電池駆動型複合装置ＭＦ２は、第１実施例の場合と同様に、ファクシミリデータを受信すると、駆動電源検知信号Ｓｄがハイであるかチェックして、ローのときには、受信したファクシミリデータをプリンタ部１３で用紙に印刷出力する（ステップＳ１０１〜Ｓ１０９）。
【００９４】
電池駆動型複合装置ＭＦ２は、ステップＳ１０７で、駆動電源検知信号Ｓｄがハイであると、ファクシミリデータをＴｉｆｆ形式等のファイルに変換して、圧縮した後、指定のメールアドレスへの電子メールに添付して送信する（ステップＳ１１０〜Ｓ１１３）。
【００９５】
電池駆動型複合装置ＭＦ２は、電子メールの送信を行うと、ＵＳＢコントローラ１１２に、ＵＳＢポート１１１から電子メールのメールアドレス先である情報処理装置ＰＣに対して、メールの送信を通知する（ステップＳ２０１）。このメール送信の通知は、例えば、ＣＰＵ４１が、予めＲＯＭ４７等に格納されているメール送信通知メッセージを読み出して、情報処理装置ＰＣで表示可能な文字情報に変換した後、ＵＳＢコントローラ１１２からＵＳＢポート１１１及びＵＳＢケーブル１０１を通して、情報処理装置ＰＣへ送信する。
【００９６】
情報処理装置ＰＣは、ＵＳＢケーブル１０１を通してメール送信通知メッセージが送られてくると、そのディスプレイに、メール送信通知メッセージを表示出力（ポップアップ出力）する（ステップＳ２０２）。
【００９７】
このように、本実施例の画像処理システムＧＳ２は、その電池駆動型複合装置ＭＦ２が、前記メールアドレスの情報処理装置（装置）ＰＣに有線と無線のうち少なくともいずれかで通信するＵＳＢポート１１１及びＵＳＢコントローラ１１２からなる装置通信手段を、さらに備え、ＣＰＵ（ファクシミリデータ出力制御手段）４１は、前記ファクシミリデータをファックスボード５２に前記メールアドレスへメール送信させると、前記装置通信手段を通して該ファクシミリデータをメール送信した旨の通知を情報処理装置ＰＣへ行う。
【００９８】
したがって、ファクシミリデータのメール送信先のユーザは、ファクシミリデータが電子メールで送られてきたことを知ることができ、速やかに電子メールをメールサーバであるＰＯＰサーバＰＶから取り出して、印刷出力等することができる。その結果、蓄電電力で駆動している場合の消費電力を効率的に削減することができるとともに、利用性を向上させることができる。
【実施例３】
【００９９】
図１３〜図１５は、本発明の画像処理装置、画像制御方法及び画像制御プログラムの第３実施例を示す図であり、図１３は、本発明の画像処理装置、画像制御方法及び画像制御プログラムの第３実施例を適用した画像処理システムに用いられている電池駆動型複合装置ＭＦ３のブロック構成図である。
【０１００】
なお、本実施例は、上記第１実施例の画像処理システムＧＳと同様の画像処理システム及び電池駆動型複合装置に適用したものである。本実施例の説明においては、上記第１実施例の画像処理システムＧＳ及び電池駆動型複合装置ＭＦと同様の構成部分には、同一の符号を付与して、その説明を省略または簡略化する。
【０１０１】
本実施例の画像処理システムＧＳは、第１実施例の電池駆動型複合装置ＭＦの代わりに、電池駆動型複合装置ＭＦ３が配置されており、電池駆動型複合装置（画像処理装置）ＭＦ３は、ファクシミリ通信可能回線網ＦＬ及びメール通信可能回線網ＭＬと通信可能である。
【０１０２】
すなわち、電池駆動型複合装置ＭＦ３は、図１３に示すように、第１実施例の電池駆動型複合装置ＭＦと同様の構成を有するとともに、音声出力部１２１を備え、さらに、その制御ボード３１に、増幅回路１２２を備えている。
【０１０３】
音声出力部１２１は、例えば、スピーカ、ブザー等であり、増幅回路１２２から送られてくる音声信号に応じて音声を拡声出力する。
【０１０４】
増幅回路１２２は、ＣＰＵ４１の制御下で、ＣＰＵ４１から送られてくる音声信号を増幅して、音声出力部１２１へ出力する。
【０１０５】
増幅回路１２２は、例えば、図１４に示すように、トランジスタＴｒ１及び抵抗Ｒ１、Ｒ２等で構成されている。トランジスタＴｒ１は、エミッタ接地であって、そのベースにＣＰＵ４１が接続され、そのコレクタに音声出力部１２１が接続されている。トランジスタＴｒ１は、音声出力部１２１を介して電源ＶＤＤが印加されている。
【０１０６】
したがって、増幅回路１２２は、ＣＰＵ４１が音声信号に基づいてトランジスタＴｒ１のベースを駆動させることで、音声出力部１２１へ流れる電流を制御して、音声を拡声出力させる。これら音声出力部１２１及び増幅回路１２２は、全体として、報知手段及び音声出力手段として機能している。
【０１０７】
電池駆動型複合装置ＭＦ３は、音声出力部１２１から出力させる音声として、予め音声データをＲＯＭ４７に格納しており、ＣＰＵ４１がＲＯＭ４７から読み出して増幅回路１２２で増幅させて、音声出力部１２１から拡声出力させる。
【０１０８】
この音声データとしては、例えば、「ファクシミリデータを、○○○宛に電子メールで送信いたしました。」等のファクシミリデータを電子メールで送信した旨の音声メッセージ、単に、ブザーを鳴動させるブザー音等のファクシミリデータの電子メールによる転送を示す何らかの音声データである。
【０１０９】
そして、本実施例の画像処理システムＧＳにおいては、電池駆動型複合装置ＭＦ３が、図１５に示すように、ファクシミリ受信における画像制御処理を行う。なお、図１５において、図６の画像制御処理と同様の処理ステップには、同一のステップナンバーを付与して、その説明を省略または簡略化する。
【０１１０】
図１５において、電池駆動型複合装置ＭＦ３は、第１実施例の場合と同様に、ファクシミリデータを受信すると、駆動電源検知信号Ｓｄがハイであるかチェックして、ローのときには、受信したファクシミリデータをプリンタ部１３で用紙に印刷出力する（ステップＳ１０１〜Ｓ１０９）。
【０１１１】
電池駆動型複合装置ＭＦ３は、ステップＳ１０７で、駆動電源検知信号Ｓｄがハイであると、ファクシミリデータをＴｉｆｆ形式等のファイルに変換して、圧縮した後、指定のメールアドレスへの電子メールに添付して送信する（ステップＳ１１０〜Ｓ１１３）。
【０１１２】
電池駆動型複合装置ＭＦ３は、電子メールの送信を行うと、ＣＰＵ４１が、ＲＯＭ４７から音声データを読み出して、増幅回路１２２及び音声出力部１２１を通して、ファクシミリデータの電子メールによる転送を示す音声を出力させる（ステップＳ２１１）。
【０１１３】
このように、本実施例の画像処理システムＧＳは、その電池駆動型複合装置ＭＦ３が、情報を報知出力する音声出力部１２１と増幅回路１２２からなる報知手段を、さらに備え、ＣＰＵ（ファクシミリデータ出力制御手段）４１は、前記ファクシミリデータを前記無線ＬＡＮモジュール３２に前記メールアドレスへメール送信させると、該ファクシミリデータをメール送信した旨の情報を前記報知手段に報知出力させる。
【０１１４】
したがって、ユーザは、電池駆動型複合装置ＭＦの音声出力部から出力される音声情報によって受信したファクシミリデータがメール送信されたことを知ることができ、電池電源電力駆動における消費電力を削減しつつ、利用性を向上させることができる。
【０１１５】
さらに、前記報知手段は、音声を拡声出力する音声出力部（音声出力手段）１２１である。
【０１１６】
したがって、ユーザは、電池駆動型複合装置ＭＦの音声出力部１２１から拡声出力される音声情報によって受信したファクシミリデータがメール送信されたことを知ることができ、消費電力を削減しつつ、利用性を向上させることができる。
【実施例４】
【０１１７】
図１６〜図１８は、本発明の画像処理装置、画像制御方法及び画像制御プログラムの第４実施例を示す図であり、図１３は、本発明の画像処理装置、画像制御方法及び画像制御プログラムの第４実施例を適用した画像処理システムＧＳ３の構成図である。
【０１１８】
なお、本実施例は、上記第１実施例の画像処理システムＧＳと同様の画像処理システム及び電池駆動型複合装置に適用したものである。本実施例の説明においては、上記第１実施例の画像処理システムＧＳ及び電池駆動型複合装置ＭＦと同様の構成部分には、同一の符号を付与して、その説明を省略または簡略化する。
【０１１９】
図１６において、本実施例の画像処理システムＧＳ３は、第１実施例の電池駆動型複合装置ＭＦの代わりに、電池駆動型複合装置ＭＦ４が配置されている。電池駆動型複合装置ＭＦ４は、第１実施例の電池駆動型複合装置ＭＦと同様に、ファクシミリ通信可能回線網ＦＬ及びメール通信可能回線網ＭＬと通信可能である。
【０１２０】
電池駆動型複合装置（画像処理装置）ＭＦ４は、外付けの親機となる外部電話機Ｇｔと、子機となる外部電話機Ｇｔｃが接続されている。外部電話機Ｇｔは、電話ケーブルＴＬで電池駆動型複合装置ＭＦ４と接続されており、外部電話機Ｇｔと外部電話機Ｇｔｃとは無線で接続されている。これらの外部電話機Ｇｔと外部電話機Ｇｔｃは、通常の親機と子機からなる電話機である。
【０１２１】
電池駆動型複合装置ＭＦ４は、図１７に示すように構成され、第１実施例の電池駆動型複合装置ＭＦと同様の構成を有しているが、２つ目の回線ポート（電話接続手段）１３１を備えているとともに、ファックスボード５２が、鳴動回路１３２を備えている。
【０１２２】
鳴動回路（鳴動手段）１３２は、回線ポート１３１に接続されており、回線ポート１３１は、上記電話ケーブルＴＬによって外部電話機Ｇｔに接続されている。
【０１２３】
鳴動回路１３２は、１００Ｖp-p以上の矩形波等を発生させる昇圧回路を備えており、画像形成メインボード５１のＣＰＵ７１からの鳴動信号を昇圧回路で１００Ｖp-p以上に昇圧させた矩形波鳴動信号を生成して、外部電話機Ｇｔを鳴動させる。
【０１２４】
電池駆動型複合装置ＭＦ３は、ファクシミリデータの電子メールによる送信を通知するための特定の鳴動信号を、ＲＯＭ４７に予め格納している。ＣＰＵ４１は、ＲＯＭ４７から該特定の鳴動信号を読み出して鳴動回路１３２で増幅させ、外部電話機Ｇｔへ出力して、外部電話機Ｇｔを該特定の鳴動信号に応じた鳴動音で鳴動させる。
【０１２５】
そして、本実施例の画像処理システムＧＳ３においては、電池駆動型複合装置ＭＦ４が、図１８に示すように、ファクシミリ受信における画像制御処理を行う。なお、図１８において、図６の画像制御処理と同様の処理ステップには、同一のステップナンバーを付与して、その説明を省略または簡略化する。
【０１２６】
図１８において、電池駆動型複合装置（画像処理装置）ＭＦ４は、第１実施例の場合と同様に、ファクシミリデータを受信すると、駆動電源検知信号Ｓｄがハイであるかチェックして、ローのときには、受信したファクシミリデータをプリンタ部１３で用紙に印刷出力する（ステップＳ１０１〜Ｓ１０９）。
【０１２７】
電池駆動型複合装置ＭＦ４は、ステップＳ１０７で、駆動電源検知信号Ｓｄがハイであると、ファクシミリデータをＴｉｆｆ形式等のファイルに変換して、圧縮した後、指定のメールアドレスへの電子メールに添付して送信する（ステップＳ１１０〜Ｓ１１３）。
【０１２８】
電池駆動型複合装置ＭＦ４は、電子メールの送信を行うと、ＣＰＵ４１が、ＲＯＭ４７から特定の鳴動信号を読み出して、鳴動回路１３２で増幅させ、外部電話機Ｇｔへ出力して、外部電話機Ｇｔを特定の鳴動信号に応じた鳴動音で鳴動させる。（ステップＳ２２１）。このとき、子機である外部電話機Ｇｔｃも、同じ鳴動音で鳴動する。
【０１２９】
このように、本実施例の画像処理システムＧＳは、その電池駆動型複合装置ＭＦ４が、外部電話機Ｇｔ、Ｇｔｃと接続する回線ポート（電話接続手段））１３１と、該回線ポート１３１に接続されている外部電話機Ｇｔ、Ｇｔｃを鳴動させる鳴動回路（鳴動手段）１３２と、を備え、ＣＰＵ（ファクシミリデータ出力制御手段）４１は、前記ファクシミリデータを無線ＬＡＮモジュール３２に前記メールアドレスへメール送信させると、鳴動回路１３２に、該ファクシミリデータをメール送信した旨の鳴動を外部電話機Ｇｔ、Ｇｔｃに対して行わせる。
【０１３０】
したがって、電池駆動型複合装置ＭＦ４のユーザに、受信したファクシミリデータを電子メールで送信したことを外部電話機Ｇｔ、Ｇｔｃの鳴動音で通知することができる。その結果、電池電源電力駆動における消費電力を削減しつつ、利用性を向上させることができる。
【０１３１】
外部電話機Ｇｔ、Ｇｔｃを特定の鳴動音で鳴動させることで、ファクシミリデータの電子メールによる送信を通知することができ、利用性を向上させることができる。
【０１３２】
なお、外部電話機Ｇｔ、Ｇｔｃを利用して、ファクシミリデータの電子メールによる送信を通知する方法としては、上記鳴動を発生させる方法に限るものではない。
【０１３３】
例えば、図１９に示すように、電池駆動型複合装置ＭＦ４のファックスボード５２に、さらに、オフフック検出回路１３３とＰＣＭ（Pulse Code Modulation）音源部１３４を備え、音声でファクシミリデータの電子メール送信を通知してもよい。
【０１３４】
ＰＣＭ音源部（音声データ蓄積手段、音声データ送出手段）１３４は、ＰＣＭ音源として、ファクシミリデータを電子メールで指定のメールアドレス宛に送信した旨の音声データが格納されている。
【０１３５】
オフフック検出回路（オフフック検出手段）１３３は、例えば、図２０に示すように回路構成されており、双方向フォトカプラＰＨ、抵抗Ｒ３、Ｒ４、Ｒ５等を備えている。オフフック検出回路１３３は、外部電話機Ｇｔの接続される回線ポート１３１への出力端子ＴＮ１、ファクシミリ通信可能回線網ＦＬへの回線ポート５３からの入力端子ＴＮ２及びＣＰＵ７１への出力端子ＴＮ３を備えている。オフフック検出回路１３３は、外部電話機Ｇｔがオンフックのときには、フォトカプラＰＨがオフしており、抵抗Ｒ３を介して電源電圧ＶＤＤによって、出力端子ＴＮ３の電圧がハイ（Ｈｉｇｈ）になる。また、オフフック検出回路１３３は、外部電話機Ｇｔがオフフックされると、フォトカプラＰＨがオンして、ＣＰＵ７１への出力端子ＴＮ３の電圧が、ハイ（Ｈｉｇｈ）からロー（Ｌｏｗ）に切り替わる。
【０１３６】
ＣＰＵ７１は、このオフフック検出回路１３３の出力端子ＴＮ３からの電圧に基づいて、オフフックを判定して、モデム６２を介して、ＰＣＭ音源部１３４を駆動させる。
【０１３７】
ＰＣＭ音源部１３４は、駆動信号が入力されると、予め格納されているファクシミリデータを電子メールで指定のメールアドレス宛に送信した旨の音声を、回線ポート１３１を通して外部電話機Ｇｔへ送出する。外部電話機Ｇｔまたは外部電話機Ｇｔｃのうち、オフフックされている方の外部電話機Ｇｔ、Ｇｔｃは、送出されてきた音声を受話器から拡声出力する。
【０１３８】
この場合、画像処理システムＧＳ３においては、電池駆動型複合装置ＭＦ４が、図２１に示すように、ファクシミリ受信における画像制御処理を行う。なお、図２１において、図６の画像制御処理及び図１８と同様の処理ステップには、同一のステップナンバーを付与して、その説明を省略または簡略化する。
【０１３９】
図２１において、電池駆動型複合装置ＭＦ２は、第１実施例の場合と同様に、ファクシミリデータを受信すると、駆動電源検知信号Ｓｄがハイであるかチェックして、ローのときには、受信したファクシミリデータをプリンタ部１３で用紙に印刷出力する（ステップＳ１０１〜Ｓ１０９）。
【０１４０】
電池駆動型複合装置ＭＦ４は、ステップＳ１０７で、駆動電源検知信号Ｓｄがハイであると、ファクシミリデータをＴｉｆｆ形式等のファイルに変換して、圧縮した後、指定のメールアドレスへの電子メールに添付して送信する（ステップＳ１１０〜Ｓ１１３）。
【０１４１】
電池駆動型複合装置ＭＦ２は、電子メールの送信を行うと、ＣＰＵ４１が、ＲＯＭ４７から特定の鳴動信号を読み出して、鳴動回路１３２で増幅させ、外部電話機Ｇｔへ出力して、外部電話機Ｇｔを特定の鳴動信号に応じた鳴動音で鳴動させる。（ステップＳ２２１）。このとき、子機である外部電話機Ｇｔｃも、同じ鳴動音で鳴動する。
【０１４２】
電池駆動型複合装置ＭＦは、ユーザによって外部電話機Ｇｔ、Ｇｔｃが持ち上げられると（ステップＳ２２２）、オフフック検出回路１３３が、オフフック（外部電話機Ｇｔ、Ｇｔｃが持ち上げられたこと）を検出する（ステップＳ２２３）。
【０１４３】
オフフックを検出すると、ＣＰＵ７１は、ＰＣＭ音源部１３４を駆動させて、ファクシミリデータを電子メールで指定のメールアドレス宛に送信した旨の音声を外部電話機Ｇｔ、Ｇｔｃへ送出して、画像制御処理を終了する（ステップＳ２２４）。
【０１４４】
このように、本実施例の画像処理システムＧＳは、電池駆動型複合装置ＭＦ２が、前記ファクシミリデータをメール送信した旨の音声データを蓄積するＰＣＭ音源部（音声データ蓄積手段）１３４と、前記音声データを回線ポート（電話接続手段）１３１を通して、前記外部電話機Ｇｔ、Ｇｔｃに送出させるＰＣＭ音源部（音声データ送出手段）１３４と、前記外部電話機Ｇｔ、Ｇｔｃのオフフックを検出するオフフック検出回路（オフフック検出手段）１３３と、をさらに備え、ＣＰＵ（ファクシミリデータ出力制御手段）４１が、ＣＰＵ７１を介して前記ファクシミリデータを無線ＬＡＮモジュール３２に前記メールアドレスへメール送信させると、鳴動回路１３２に前記外部電話機Ｇｔ、Ｇｔｃを鳴動させ、オフフック検出回路１３３が該外部電話機Ｇｔ、Ｇｔｃのオフフックを検出すると、ＰＣＭ音源部１３４に前記音声データを送出させる。
【０１４５】
したがって、電池駆動型複合装置ＭＦ４のユーザに、受信したファクシミリデータを電子メールで送信したことを外部電話機Ｇｔ、Ｇｔｃのユーザに対して、音声によって確実に通知することができる。その結果、電池電源電力駆動における消費電力を削減しつつ、利用性をより一層向上させることができる。
【実施例５】
【０１４６】
図２２は、本発明の画像処理装置、画像制御方法及び画像制御プログラムの第５実施例を適用した画像処理システムによるファクシミリ受信における画像制御処理を示すフローチャートである。
【０１４７】
なお、本実施例は、上記第１実施例の画像処理システムＧＳと同様の画像処理システム及び電池駆動型複合装置に適用したものである。本実施例の説明においては、上記第１実施例の画像処理システムＧＳ及び電池駆動型複合装置ＭＦで用いた符号をそのまま用いて説明する。と同様の構成部分には、同一の符号を付与して、その説明を省略または簡略化する。
【０１４８】
本実施例の画像処理システムＧＳは、電池駆動型複合装置ＭＦのファックスボード５２が、ナンバーディスプレイ機能を備えており、ファクシミリ受信を行った際に、ファクシミリデータの送信元の電話番号を取得する機能（番号取得機能）を有している。
【０１４９】
また、電池駆動型複合装置ＭＦは、電池電源電力によって駆動している状態であっても、受信ファクシミリデータを電子メール送信することなく、速やかにプリンタ部１３で用紙に印刷出力する必要のある送信元の電話番号が、特定送信元として、ＲＯＭ４７に予め登録されている。電池駆動型複合装置ＭＦは、操作表示部１６の操作によって、特定送信元登録モードにおいて、特定送信元電話番号が入力操作されると、ＣＰＵ４１が、ＲＯＭ４７に特定送信元として登録する。
【０１５０】
電池駆動型複合装置ＭＦは、上記特定送信元電話番号がＲＯＭ４７に登録されている状態で、ファクシミリデータの受信があると、図２２に示すように画像制御処理を行う。なお、図２２において、図６の画像制御処理と同様の処理ステップには、同一のステップナンバーを付与して、その説明を省略または簡略化する。
【０１５１】
図２２において、電池駆動型複合装置ＭＦは、第１実施例の場合と同様に、ファクシミリデータを受信すると、駆動電源検知信号Ｓｄがハイであるかチェックして、ローのときには、受信したファクシミリデータをプリンタ部１３で用紙に印刷出力する（ステップＳ１０１〜Ｓ１０９）。
【０１５２】
電池駆動型複合装置ＭＦは、ステップＳ１０７で、駆動電源検知信号Ｓｄがハイであると、ＣＰＵ４１が、ファクシミリデータの送信元の電話番号をナンバーディスプレイ機能によって取得して、特定の送信元からのファクシミリであるかチェックする（ステップＳ３０１）。
【０１５３】
ステップＳ３０１で、特定の送信元からのファクシミリであると（ステップＳ３０１で、ＹＥＳのとき）、ＣＰＵ４１は、ＲＡＭ４８を使用して、受信したファクシミリデータをプリンタ部１３で記録出力するのに適した画像データに変換して、記録ヘッド制御部４３に渡す（ステップＳ３０２）。ＣＰＵ４１は、記録ヘッド制御部４３によってキャリッジ３３の記録ヘッド３３ａの駆動を制御するとともに、主走査モータ３４及び副走査モータ３６の駆動を制御して、画像を用紙に形成出力させる印字を行って、画像制御処理を終了する（ステップＳ３０３）。
【０１５４】
ステップＳ３０１で、特定の送信元以外からのファクシミリであると（ステップＳ３０１で、ＮＯのとき）、ＣＰＵ４１は、ファクシミリデータをＴｉｆｆ形式等のファイルに変換して、圧縮した後、指定のメールアドレスへの電子メールに添付して送信する（ステップＳ１１０〜Ｓ１１３）。
【０１５５】
このように、本実施例の画像処理システムＧＳは、ファックスボード（ファクシミリ通信手段）５２が、前記ファクシミリデータの送信元の電話番号を取得する番号取得機能を有し、前記ファクシミリデータ出力制御手段であるＣＰＵ４１が、前記ファクシミリデータの送信元の電話番号が予め登録されている電話番号であると、該ファクシミリデータをプリンタ部（記録手段）１３に記録出力させる。
【０１５６】
したがって、速やかにファクシミリの内容を知りたい相手からのファクシミリデータ等を、電子メールで送信することなく、プリンタ部１３で印刷出力することことができる。したがって、消費電力を削減しつつ、利用性を向上させることができる。
【実施例６】
【０１５７】
図２３〜図２５は、本発明の画像処理装置、画像制御方法及び画像制御プログラムの第６実施例を示す図であり、図２３は、本発明の画像処理装置、画像制御方法及び画像制御プログラムの第６実施例を適用した画像処理システムＧＳ２によるファクシミリ受信における画像制御処理を示すフローチャートである。
【０１５８】
なお、本実施例は、上記第１実施例の画像処理システムＧＳと同様の画像処理システム及び電池駆動型複合装置に適用したものである。本実施例の説明においては、上記第１実施例の画像処理システムＧＳ及び電池駆動型複合装置ＭＦで用いた符号をそのまま用いて説明する。と同様の構成部分には、同一の符号を付与して、その説明を省略または簡略化する。
【０１５９】
本実施例の画像処理システムＧＳは、電池駆動型複合装置ＭＦが、メールサーバであるＰＯＰサーバＰＶの空き容量を取得する機能を備えている。このＰＯＰサーバＰＶの空き容量を取得する機能（以下、適宜、空き容量取得機能という。）は、ＰＯＰサーバＰＶが通常提供しているメールサーバの空き容量監視サービスによって、ＰＯＰサーバＰＶから送られてくる、空き容量情報等を利用する方法等を用いることができる。
【０１６０】
電池駆動型複合装置ＭＦは、上記ＰＯＰサーバＰＶの空き容量取得機能を備えている状態で、ファクシミリデータの受信があると、図２３に示すように画像制御処理を行う。なお、図２３において、図６の画像制御処理と同様の処理ステップには、同一のステップナンバーを付与して、その説明を省略または簡略化する。
【０１６１】
図２３において、電池駆動型複合装置ＭＦは、第１実施例の場合と同様に、ファクシミリデータを受信すると、駆動電源検知信号Ｓｄがハイであるかチェックして、ローのときには、受信したファクシミリデータをプリンタ部１３で用紙に印刷出力する（ステップＳ１０１〜Ｓ１０９）。
【０１６２】
電池駆動型複合装置ＭＦは、ステップＳ１０７で、駆動電源検知信号Ｓｄがハイであると、ＣＰＵ４１が、ＰＯＰサーバＰＶに空き容量が十分あるかチェックする（ステップＳ４０１）。
【０１６３】
ステップＳ４０１で、空き容量が不十分であると（ステップＳ４０１で、ＮＯのとき）、ＣＰＵ４１が、ファクシミリデータの電子メールによる情報処理装置ＰＣへの転送を行うことができなかった旨の通知（メール転送不可通知）を行って画像制御処理を終了する（ステップＳ４０２）。このメール転送不可通知は、例えば、操作表示部１６のディスプレイ１７へのその旨の表示によって行う。また、電池駆動型複合装置ＭＦが、第３実施例のように、増幅回路１２２と音声出力部１２１を備えているときには、ＣＰＵ４１が、ファクシミリデータの電子メールによる情報処理装置ＰＣへの転送をＰＯＰサーバＰＶの容量不足のために行うことができなかった旨の音声メッセージの出力、ブザー音の出力等によってメール転送不可通知を行ってもよい。さらに、電池駆動型複合装置ＭＦが、第４実施例のように、鳴動回路１３２、オフフック検出回路１３３、ＰＣＭ音源部１３４等を備えているときには、外部電話機Ｇｔ、Ｇｔｃへの鳴動、音声メッセージの出力によってメール転送不可通知を行ってもよい。
【０１６４】
そして、ＣＰＵ４１は、ＰＯＰサーバＰＶの空き容量不足によってファクシミリデータを電子メールで送信することができなかったときには、該ファクシミリデータを、ＲＡＭ４８に保管する。ＣＰＵ４１は、ＲＡＭ４８に保管したファクシミリデータについては、例えば、内部電源電力が蓄電電力から外部電源電力に切り替わったときに、プリンタ部１３で印刷出力したり、ＰＯＰサーバＰＶの空き容量が十分な状態となったときに、指定のメールアドレス宛に転送する等の処理を行う。
【０１６５】
上記ステップＳ４０１で、ＰＯＰサーバＰＶの空き容量が十分であると（ステップＳ４０１で、ＹＥＳのとき）、ＣＰＵ４１は、ファクシミリデータをＴｉｆｆ形式等のファイルに変換して、圧縮した後、指定のメールアドレスへの電子メールに添付して送信する（ステップＳ１１０〜Ｓ１１３）。
【０１６６】
このように、本実施例の画像処理システムＧＳは、電池駆動型複合装置ＭＦが、前記メールアドレス宛のメールを蓄積するメールサーバであるＰＯＰサーバＰＶの空き容量を確認するＣＰＵ（空き容量確認手段）４１と、情報を報知出力する操作表示部１６のディスプレイ１７、増幅回路１２２と音声出力部１２１等の報知手段と、をさらに備え、ＣＰＵ（ファクシミリデータ出力制御手段）４１が、前記メールアドレス宛へのメール送信に対して、前記メールサーバの空き容量が不足していると、前記報知手段に、前記メール送信が不可能である旨の情報を報知出力させる。
【０１６７】
したがって、ＰＯＰサーバＰＶが容量不足のためにファクシミリデータをメール送信することができない場合に、その旨を報知出力して通知することができ、消費電力を削減しつつ、ユーザに速やかな対応を促して、利用性を向上させることができる。
【０１６８】
なお、上記ステップＳ４０１で、ＰＯＰサーバＰＶの空き容量が不十分であるときの処理としては、上記ファクシミリデータの保管と、メール転送不可通知に限るものではなく、例えば、予め設定されている他の宛先にアドホック通信でデータ送信する等の処理を行ってもよい。例えば、いま、図２４に示す画像処理システムＧＳ４のように、メール通信可能回線網ＭＬが、アクセスポイントＡＰ２を備えていて、他の無線ＬＡＮ機能を備えた複合装置ＭＦ５と無線通信を行うことができるものとする。この場合、画像処理システムＧＳ４は、電池駆動型複合装置ＭＦが、複合装置ＭＦ５を宛先としてアドホック通信で、受信したファクシミリデータを送信してもよい。なお、複合装置ＭＦ５は、アクセスポイントＡＰ２と無線通信する無線ＬＡＮモジュールを備えている。
【０１６９】
メール通信可能回線網ＭＬは、電池駆動型複合装置ＭＦが、無線ＬＡＮモジュール（無線メール送信手段）３２からアドホック通信でアクセスポイントＡＰへデータを無線送信すると、該データを、直接、アクセスポイントＡＰ２から送信先の複合装置ＭＦ５へ無線送信する。そして、電池駆動型複合装置ＭＦは、アドホック通信でファクシミリデータを送信するために、宛先のｉｐアドレス（無線メールアドレス）が予めＲＯＭ４７に登録されている。
【０１７０】
すなわち、この場合、電池駆動型複合装置ＭＦは、上記ＰＯＰサーバＰＶの空き容量取得機能を備えている状態で、ファクシミリデータの受信があると、図２５に示すように画像制御処理を行う。なお、図２５において、図６及び図２３の画像制御処理と同様の処理ステップには、同一のステップナンバーを付与して、その説明を省略または簡略化する。
【０１７１】
図２５において、電池駆動型複合装置ＭＦは、第１実施例の場合と同様に、ファクシミリデータを受信すると、駆動電源検知信号Ｓｄがハイであるかチェックして、ローのときには、受信したファクシミリデータをプリンタ部１３で用紙に印刷出力する（ステップＳ１０１〜Ｓ１０９）。
【０１７２】
電池駆動型複合装置ＭＦは、ステップＳ１０７で、駆動電源検知信号Ｓｄがハイであると、ＣＰＵ４１が、ＰＯＰサーバＰＶに空き容量が十分あるかチェックする（ステップＳ４０１）。
【０１７３】
ステップＳ４０１で、空き容量が不十分であると（ステップＳ４０１で、ＮＯのとき）、ＣＰＵ４１が、ファクシミリデータを、登録されているｉｐアドレスの複合装置ＭＦ５へアドホック通信によって無線転送して画像制御処理を終了する（ステップＳ４１１）。
【０１７４】
ステップＳ４０１で、ＰＯＰサーバＰＶの空き容量が十分であると（ステップＳ４０１で、ＹＥＳのとき）、ＣＰＵ４１は、ファクシミリデータをＴｉｆｆ形式等のファイルに変換して、圧縮した後、指定のメールアドレスへの電子メールに添付して送信する（ステップＳ１１０〜Ｓ１１３）。
【０１７５】
このように、本実施例の画像処理システムＧＳは、電池駆動型複合装置ＭＦが、前記メールアドレス宛のメールを蓄積するＰＯＰサーバ（メールサーバ）ＰＶの空き容量を確認する空き容量確認手段と、ｉｐアドレス（無線メールアドレス）の宛先に直接メールを無線送信する無線ＬＡＮモジュール（無線メール送信手段）３２と、をさらに備え、ファクシミリデータ出力制御手段としてのＣＰＵ４１が、前記メールアドレスへのメール送信に対して、前記メールサーバの空き容量が不足していると、無線ＬＡＮモジュール３２に前記ｉｐアドレスへ前記ファクシミリデータをメール送信させる。
【０１７６】
したがって、ＰＯＰサーバＰＶの空き容量が不十分であっても、アドホック通信によってファクシミリデータをメール送信することができ、消費電力を削減しつつ、利用性を向上させることができる。
【０１７７】
そして、上記各実施例において、蓄電電力を内部電源電力として使用して駆動しているときにファクシミリデータを転送する画像制御処理を実行するか否かを、ユーザの手動操作に応じて選択できるようにしてもよい。
【０１７８】
この場合、電池駆動型複合装置ＭＦ、ＭＦ２、ＭＦ３、ＭＦ４は、図２６に示すように、転送選択スイッチ（選択手段）ＳＷを、ハードウェアスイッチとして、または、操作表示部１６の操作画面の機能スイッチとして備えている。電池駆動型複合装置ＭＦ〜ＭＦ４は、ユーザが、転送選択スイッチＳＷをオン（ＯＮ）にすると、上記説明のように、内部電源電力が蓄電電力か、外部電源電力かに応じて、ファクシミリデータを転送する画像制御処理を行う。電池駆動型複合装置ＭＦ〜ＭＦ４は、ユーザが転送選択スイッチＳＷをオフ（ＯＦＦ）にすると、内部電源電力が蓄電電力か、外部電源電力かにかかわらず、受信ファクシミリデータをプリンタ部１３で記録出力する。
【０１７９】
このようにすると、電池電源電力によって駆動している状態であっても、受信したファクシミリデータを速やかに印刷出力することができ、時間帯等に応じて、ユーザが適宜に転送選択スイッチＳＷを操作することで、電池駆動型複合装置ＭＦ〜ＭＦ４の利用性を向上させることができる。
【０１８０】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１８１】
ＧＳ  画像処理システム
ＭＦ  電池駆動型複合装置
ＦＬ  ファクシミリ通信可能回線網
ＭＬ  メール通信可能回線網
ＦＡ  対向ファクシミリ装置
ＩＮＴ  インターネット
ＳＶ  ＳＭＴＰサーバ
ＰＶ  ＰＯＰサーバ
Ｍ１、Ｍ２  モデム
ＡＰ  アクセスポイント
ＰＣ  情報処理装置
１１  本体筐体
１２  スキャナ部
１３  プリンタ部
１４  給紙部
１５  排紙部
１６  操作表示部
１７  ディスプレイ
１８  開閉カバー
１９  ２次電池部
２０  残量表示部
２１  コネクタ
３１  制御ボード
３２  無線ＬＡＮモジュール
３３  キャリッジ
３３ａ  記録ヘッド
３３ｂ  レジストセンサ
３３ｃ  主走査エンコーダ
３４  主走査モータ
３５  副走査エンコーダ
３６  副走査モータ
３７  電源切替・充電制御ボード
３８  ＬＡＮポート
４１  ＣＰＵ
４２  ＬＡＮコントローラ
４３  記録ヘッド制御部
４４  用紙有無検出部
４５  主走査制御部
４６  副走査制御部
４７  ＲＯＭ
４８  ＲＡＭ
４９  バス
ＧＵ  外部電源ユニット
ＣＵ  蓄電ユニット
ＡＤ  ＡＣアダプタ
ＰＧ  電源プラグ
Ｌｇ  電源コード
Ｌｃ  電源コード
Ｓｄ  駆動電源検知信号
ＰＣ２  情報処理装置
５１  画像形成メインボード
５２  ファックスボード
５３  回線ポート
ＩＦ１、ＩＦ２  インターフェイス
６１  ＳｉＤＡＡ
６２  モデム
７１  ＣＰＵ
７２  メモリ
７３  ＡＳＩＣ
７４  ＵＳＢコントローラ
ＧＳ２  画像処理システム
ＭＦ２  電池駆動型複合装置
１０１  ＵＳＢケーブル
１１１  ＵＳＢポート
１１２  ＵＳＢコントローラ
ＭＦ３  電池駆動型複合装置
１２１  音声出力部
１２２  増幅回路
Ｔｒ１  トランジスタ
Ｒ１、Ｒ２  抵抗
ＧＳ３  画像処理システム
ＭＦ４  電池駆動型複合装置
ＴＬ  電話ケーブル
Ｇｔ、Ｇｔｃ  外部電話機
１３１  回線ポート
１３２  鳴動回路
１３３  オフフック検出回路
１３４  ＰＣＭ音源部
ＰＨ  双方向フォトカプラ
Ｒ３、Ｒ４、Ｒ５  抵抗
ＴＮ１  出力端子
ＴＮ２  入力端子
ＴＮ３  出力端子
ＧＳ４  画像処理システム
ＡＰ２  アクセスポイント
ＭＦ５  複合装置
ＳＷ  転送選択スイッチ
【先行技術文献】
【特許文献】
【０１８２】
【特許文献１】特開平７−１８３９７９号公報
【図１】
2015207810.tif 000003
【図２】
2015207810.tif 000004
【図３】
2015207810.tif 000005
【図４】
2015207810.tif 000006
【図５】
2015207810.tif 000007
【図６】
2015207810.tif 000008
【図７】
2015207810.tif 000009
【図８】
2015207810.tif 000010
【図９】
2015207810.tif 000011
【図１０】
2015207810.tif 000012
【図１１】
2015207810.tif 000013
【図１２】
2015207810.tif 000014
【図１３】
2015207810.tif 000015
【図１４】
2015207810.tif 000016
【図１５】
2015207810.tif 000017
【図１６】
2015207810.tif 000018
【図１７】
2015207810.tif 000019
【図１８】
2015207810.tif 000020
【図１９】
2015207810.tif 000021
【図２０】
2015207810.tif 000022
【図２１】
2015207810.tif 000023
【図２２】
2015207810.tif 000024
【図２３】
2015207810.tif 000025
【図２４】
2015207810.tif 000026
【図２５】
2015207810.tif 000027
【図２６】
2015207810.tif 000028